(57)【要約】【課題】妨害磁界の強度を上げることなく、磁気情報の不正な読み取りを効果的に妨害すること。【解決手段】磁気記録媒体処理装置１は、媒体挿入口１１に媒体２が挿入される時、および媒体挿入口１１から媒体２が排出される時に、磁気ヘッド２１による磁気情報の読取り時よりも低速な妨害用速度Ｆ１で媒体２を搬送し、妨害磁界発生装置４０のコイル４１に通電して妨害磁界を発生させる。具体的には、媒体２の前端２Ａを媒体挿入口１１に設けられた第１検知部１３で検知して妨害用速度Ｆ１での搬送および妨害磁界の発生を開始し、媒体２が完全に取り込まれると媒体２の搬送速度を通常速度Ｆ２に切り換える。磁気ヘッド２１による処理の後、媒体２を排出する時には、媒体２の後端２Ａがゲート部１０に入ることを第２検知部２３で検知して、搬送速度を妨害用速度Ｆ１に切り換えて妨害磁界を発生させる。【選択図】図４
2018055627.tif 000002
【特許請求の範囲】
【請求項１】
媒体挿入口と、
前記媒体挿入口の外側に妨害磁界を発生させる妨害磁界発生装置と、
前記媒体挿入口から前記媒体が送り込まれる搬送路と、
前記搬送路に面して配置される磁気ヘッドと、
前記搬送路に沿って、前記媒体挿入口から前記搬送路へ向かう挿入方向、および前記挿入方向と反対の排出方向へ前記媒体を搬送する搬送装置とを有し、
前記磁気ヘッドによる処理が行われる間は前記媒体を通常速度で搬送し、前記媒体挿入口から前記媒体を取り込む時および前記媒体を排出する時の少なくとも一方では、前記通常速度より低速な妨害用速度で前記媒体を搬送し、
少なくとも前記媒体が前記妨害用速度で搬送される間は妨害磁界を発生することを特徴とする磁気記録媒体処理装置。
【請求項２】
前記媒体を検知する第１検知部を有し、
前記媒体挿入口から前記媒体を取り込む時には、
前記媒体の前記挿入方向の先端が前記第１検知部によって検知されたことに基づき、前記妨害用速度での搬送および前記妨害磁界の発生を開始し、
前記第１検知部の出力、あるいは、前記搬送装置の駆動源であるモータの回転数に基づいて前記媒体の前記排出方向の先端の位置を判定して、前記媒体の搬送速度を前記妨害用速度から前記通常速度に切り換えることを特徴とする請求項１に記載の磁気記録媒体処理装置。
【請求項３】
前記媒体挿入口から前記媒体を取り込む時には、
前記媒体の搬送速度を前記妨害用速度から前記通常速度に切り換えた後、前記媒体の前記挿入方向の先端が前記磁気ヘッドに到達する前に前記妨害磁界の発生を停止することを特徴とする請求項２に記載の磁気記録媒体処理装置。
【請求項４】
前記媒体挿入口から前記媒体を排出する時には、
前記第１検知部の出力、前記第１検知部と異なる位置に配置される第２検知部の出力、あるいは、前記搬送装置の駆動源であるモータの回転数に基づいて前記媒体の前記排出方向の先端の位置を判定して、前記媒体の搬送速度を前記通常速度から前記妨害用速度に切り換えるとともに前記妨害磁界の発生を開始することを特徴とする請求項２または３に記載の磁気記録媒体処理装置。
【請求項５】
前記媒体挿入口から前記媒体を排出する時には、
前記媒体挿入口に設けられた前記第１検知部によって前記媒体の前記挿入方向の先端が検知されるまでは前記妨害磁界の発生を継続することを特徴とする請求項４に記載の磁気記録媒体処理装置。
【請求項６】
前記搬送路および前記搬送装置が設けられる装置本体と、
前記媒体挿入口、および前記媒体挿入口と前記搬送路とを繋ぐ媒体挿入路が設けられるゲート部とを有し、
前記妨害磁界発生装置は前記ゲート部に設けられ、
前記第１検知部は、前記ゲート部に設けられる挿入検知機構またはプリヘッド、あるいは、前記搬送路に設けられる媒体検知機構のいずれかであることを特徴とする請求項２から５の何れか一項に記載の磁気記録媒体処理装置。
【請求項７】
前記妨害用速度は、前記媒体の取り込み動作および前記媒体の排出動作毎に、予め設定された複数の速度のうちのいずれかに設定されることを特徴とする請求項１から６の何れ
か一項に記載の磁気記録媒体処理装置。
【発明の詳細な説明】
【技術分野】
【０００１】
本発明は、カードなどの磁気情報が記録される媒体を搬送して磁気情報の読取りや書込みを行う磁気記録媒体処理装置に関する。
【背景技術】
【０００２】
磁気情報が記録されたカード（媒体）を取り込み、搬送路に沿ってカードを搬送して、搬送路に配置された磁気ヘッドによって磁気情報の読取りあるいは書込みを行う磁気記録媒体処理装置に対して、カードを挿入する挿入口の外側に磁気ヘッド（スキミングヘッド）を取り付けて不正に磁気情報を取得する不正行為が行われることがある。このような不正行為への対策として、挿入口の外側の領域に妨害磁界を発生させ、磁気情報の不正な読み取りを妨害する妨害磁界発生装置が用いられる。特許文献１には、妨害磁界発生装置としてループアンテナ（コイル）を用いることが開示されている。
【先行技術文献】
【特許文献】
【０００３】
【特許文献１】特開２０１１−１９２１８２号公報
【発明の概要】
【発明が解決しようとする課題】
【０００４】
磁気情報の不正な読み取りを効果的に防止するために、妨害磁界の強度を上げることが提案されている。しかしながら、妨害磁界の発生源としてコイルを用いる場合は、電流を上げると発熱量が増大して過熱によってコイルが断線するおそれがある。また、カード挿入口の近傍でコイルの発熱量が増大すると、人が触れるおそれのある部分の温度が過度に上昇するおそれがある。さらに、妨害磁界はカードに記録された磁気情報にも影響するおそれがある。このため、磁気情報の不正な読み取りに対する妨害効果を高めるために、コイルへの通電量を増大させて妨害磁界を高めることは限界がある。
【０００５】
以上の問題に鑑みて、本発明の課題は、妨害磁界発生装置を備える磁気記録媒体処理装置において、妨害磁界の強度を上げることなく、磁気情報の不正な読み取りを効果的に妨害することにある。
【課題を解決するための手段】
【０００６】
上記課題を解決するために、本発明の磁気記録媒体処理装置は、媒体挿入口と、前記媒体挿入口の外側に妨害磁界を発生させる妨害磁界発生装置と、前記媒体挿入口から前記媒体が送り込まれる搬送路と、前記搬送路に面して配置される磁気ヘッドと、前記搬送路に沿って、前記媒体挿入口から前記搬送路へ向かう挿入方向、および前記挿入方向と反対の排出方向へ前記媒体を搬送する搬送装置とを有し、前記磁気ヘッドによる処理が行われる間は前記媒体を通常速度で搬送し、前記媒体挿入口から前記媒体を取り込む時および前記媒体を排出する時の少なくとも一方では、前記通常速度より低速な妨害用速度で前記媒体を搬送し、少なくとも前記媒体が前記妨害用速度で搬送される間は妨害磁界を発生することを特徴とする。
【０００７】
本発明では、媒体が挿入および排出される時の少なくともどちらかの場合に、磁気情報の読取り時よりも低速な妨害用速度で媒体を搬送しながら妨害磁界を発生する。これにより、媒体挿入口の外側に不正に磁気情報を取得するための磁気ヘッド（スキミングヘッド）が取り付けられたとしても、スキミングヘッドから出力される波形を通常速度（磁気ヘッドによる読み取り時の搬送速度）で得られる波形よりも小さくして磁気情報の正確な読
取りを困難にすることができる。従って、妨害磁界の強度を上げることなく、磁気情報の不正な読み取りを効果的に妨害することができる。よって、妨害磁界発生装置の負荷を減らすことができる。例えば、妨害磁界発生装置のコイルが電流増大に起因する過熱によって断線するおそれを少なくすることができる。
【０００８】
本発明において、前記媒体を検知する第１検知部を有し、前記媒体挿入口から前記媒体を取り込む時には、前記媒体の前記挿入方向の先端が前記第１検知部によって検知されたことに基づき、前記妨害用速度での搬送および前記妨害磁界の発生を開始し、前記第１検知部の出力、あるいは、前記搬送装置の駆動源であるモータの回転数に基づいて前記媒体の前記排出方向の先端の位置を判定して、前記媒体の搬送速度を前記妨害用速度から前記通常速度に切り換えることが望ましい。このようにすると、媒体を取り込む時に、媒体がスキミングヘッドの位置を通過する間に妨害用速度で搬送して妨害磁界を発生させることができるので、磁気情報の不正な読み取りを効果的に妨害できる。また、媒体の挿入を検知するために設けられた既存のセンサ（例えば、媒体の挿入を検知する挿入検知機構）の出力を利用して妨害磁界および搬送速度を制御できる。従って、新たなセンサを設ける必要がないので、小型化および低コスト化に有利である。
【０００９】
この場合に、前記媒体の搬送速度を前記妨害用速度から前記通常速度に切り換えた後、前記媒体の前記挿入方向の先端が前記磁気ヘッドによる処理位置に到達する前に前記妨害磁界の発生を停止することが望ましい。このようにすると、妨害磁界発生装置の負荷を減らすことができる。また、磁気ヘッドによる磁気情報の処理精度を低下させることなく、磁気情報の不正な読み取りを効果的に妨害することができる。
【００１０】
本発明において、前記媒体挿入口から前記媒体を排出する時には、前記第１検知部の出力、前記第１検知部と異なる位置に配置される第２検知部の出力、あるいは、前記搬送装置の駆動源であるモータの回転数に基づいて前記媒体の前記排出方向の先端の位置を判定して、前記媒体の搬送速度を前記通常速度から前記妨害用速度に切り換えるとともに前記妨害磁界の発生を開始することが望ましい。このようにすると、媒体を排出する時に、媒体がスキミングヘッドの位置を通過する間に妨害用速度で搬送することができるので、磁気情報の不正な読み取りを効果的に妨害できる。また、既存のセンサあるいはエンコーダを利用するので、小型化および低コスト化に有利である。
【００１１】
この場合に、前記媒体挿入口に設けられた前記第１検知部によって前記媒体の前記挿入方向の先端が検知されるまでは前記妨害磁界の発生を継続することが望ましい。このようにすると、媒体を排出する時に、媒体が完全に排出されるまでは妨害磁界を発生させ続けることができる。従って、磁気情報の不正な読み取りを効果的に妨害することができる。
【００１２】
本発明において、前記搬送路および前記搬送装置が設けられる装置本体と、前記媒体挿入口、および前記媒体挿入口と前記搬送路とを繋ぐ媒体挿入路が設けられるゲート部とを有し、前記妨害磁界発生装置は前記ゲート部に設けられ、前記第１検知部は、前記ゲート部に設けられる挿入検知機構またはプリヘッド、あるいは、前記搬送路に設けられる媒体検知機構のいずれかである構成を採用することができる。このようにすると、媒体を取り込む時に、媒体の前端（挿入方向の先端）がゲートへ挿入されたら妨害用速度での搬送を開始して妨害磁界を発生させることができる。また、媒体を排出する時に、媒体の後端（排出方向の先端）がゲートへ入ったら搬送速度を妨害用速度に切り換えて妨害磁界を発生させることができる。従って、スキミングヘッドによる磁気情報の不正な読み取りを効果的に妨害することができる。
【００１３】
本発明において、前記妨害用速度は、前記媒体の取り込み動作および前記媒体の排出動作毎に、予め設定された複数の速度のうちのいずれかに設定されることが望ましい。この
ようにすると、妨害用速度が動作毎に毎回変更されるので、磁気情報の不正な読み取りをより効果的に妨害することができる。
【発明の効果】
【００１４】
本発明によれば、媒体が挿入および排出される時の少なくともどちらかの場合に、磁気情報の読取り時よりも低速な妨害用速度で媒体を搬送しながら妨害磁界を発生する。これにより、媒体挿入口の外側に不正に磁気情報を取得するための磁気ヘッド（スキミングヘッド）が取り付けられたとしても、スキミングヘッドから出力される波形を通常速度（磁気ヘッドによる読み取り時の搬送速度）で得られる波形よりも小さくして磁気情報の正確な読取りを困難にすることができる。従って、妨害磁界の強度を上げることなく、磁気情報の不正な読み取りを効果的に妨害することができる。よって、妨害磁界発生装置の負荷を減らすことができる。例えば、妨害磁界発生装置のコイルが電流増大に起因する過熱によって断線するおそれを少なくすることができる。
【図面の簡単な説明】
【００１５】
【図１】本発明の実施形態に係る磁気記録媒体処理装置を模式的に示す説明図である。
【図２】媒体の取り込み動作の説明図である。
【図３】媒体の排出動作の説明図である。
【図４】媒体取り込み時および媒体排出時の妨害磁界とモータによる搬送速度の変化を示すタイミングチャートである。
【発明を実施するための形態】
【００１６】
以下、図面を参照しながら、本発明を適用した磁気記録媒体処理装置の実施形態を説明する。
【００１７】
（全体構成）
図１は、本発明の実施形態に係る磁気記録媒体処理装置１を模式的に示す説明図であり、図１（ａ）は側方から見た磁気記録媒体処理装置１の概略構成図であり、図１（ｂ）は正面から見た磁気記録媒体処理装置１の概略構成図である。磁気記録媒体処理装置１は、カードなどの磁気情報が記録された媒体２（図２、図３参照）を搬送して、媒体２に記録された磁気情報の読取りおよび媒体２への磁気情報の書込みの少なくとも一方を行う装置である。磁気記録媒体処理装置１は、例えば、ＡＴＭ（Ａｕｔｏｍａｔｅｄ  Ｔｅｌｌｅｒ  Ｍａｃｈｉｎｅ）等の装置に搭載されて使用される。
【００１８】
磁気記録媒体処理装置１は、媒体挿入口１１が形成されたゲート部１０と、磁気ヘッド２１を備える装置本体２０を有する。図１（ａ）に示すように、装置本体２０の内部には搬送路２２が形成され、磁気ヘッド２１は搬送路２２に面して配置される。ゲート部１０には、媒体挿入口１１と搬送路２２を繋ぐ媒体挿入路１２が形成されている。装置本体２０は、搬送路２２に沿って媒体２を搬送する搬送装置３０を備える。
【００１９】
本明細書において、Ｘ、Ｙの２方向は互いに直交する方向である。図１（ａ）に示すように、媒体挿入路１２および搬送路２２はＹ方向に延在する。本形態では、Ｙ方向は磁気記録媒体処理装置１の前後方向であり、媒体２の搬送方向である。Ｙ方向の一方側を前方Ｙ１、他方側を後方Ｙ２とする。また、Ｘ方向は磁気記録媒体処理装置１の幅方向である。図１（ｂ）は磁気記録媒体処理装置１を前方Ｙ１から見た場合の各部の配置を示している。
【００２０】
図１（ａ）に示すように、ゲート部１０は装置本体２０の前面から前方Ｙ１に突出する。媒体挿入口１１はゲート部１０の前面に設けられ、幅方向Ｘに延在する（図１（ｂ）参照）。ゲート部１０は、媒体挿入口１１の近傍に配置される第１検知部１３と、プリヘッ
ド１４を備える。第１検知部１３は、媒体挿入口１１に媒体２が挿入されたことを検知する挿入検知機構である。第１検知部１３としては、挿入された媒体２と接触する検知部材を備える接触式のセンサ、あるいは、光学式のセンサなどが用いられる。プリヘッド１４は、挿入された媒体２に磁気情報が記録されていることを検知するための磁気センサを備える。
【００２１】
ゲート部１０には妨害磁界発生装置４０が配置される。妨害磁界発生装置４０は、媒体挿入口１１の外側、すなわち、媒体挿入口１１の前方Ｙ１に妨害磁界を発生させる。妨害磁界発生装置４０は、妨害磁界の発生源であるコイル４１を備える。妨害磁界発生装置４０は、コイル４１への通電のオンオフを切り換えることにより、妨害磁界を発生または停止させる。本形態では、妨害磁界発生装置４０は、媒体２に記録される磁気情報に影響を及ぼさない程度の妨害磁界（図４に示す強度Ｈの妨害磁界）を発生させる。
【００２２】
搬送装置３０は、媒体２に接触して媒体２を搬送する搬送ローラ３１と、搬送ローラ３１に媒体２を押し付ける押圧ローラ３２と、駆動源であるモータ３３と、モータ３３の回転を搬送ローラ３１に伝達する駆動力伝達機構３４を備える。搬送ローラ３１は、搬送路２２に沿って前後方向Ｙに所定間隔で複数配置される。複数の搬送ローラ３１のそれぞれは、押圧ローラ３２と搬送路２２を挟んで対向する。駆動力伝達機構３４は、搬送ローラ３１の回転軸に取り付けられたプーリにベルトを架け渡した第１ベルト機構３５と、第１ベルト機構３５のプーリのうちの１つにモータ３３の回転を伝達する第２ベルト機構３６を備える。なお、駆動力伝達機構３４は、このような構成に限定されるものではなく、適宜変更可能である。
【００２３】
複数の搬送ローラ３１は、搬送ローラ３１Ａ、３１Ｃ、３１Ｂを含む。これらのうちで最も前方Ｙ１に位置する搬送ローラ３１Ａは、搬送路２２の前端に配置される。搬送ローラ３１Ａの後方Ｙ２には、搬送ローラ３１Ｂ、３１Ｃがこの順で配置される。磁気ヘッド２１は、搬送ローラ３１Ｂ、３１Ｃの間に配置される。なお、搬送ローラ３１の数は３個以外であってもよく、その配置も図１（ａ）のような配置に限定されるものではない。また、搬送装置３０として搬送ローラ以外の機構を用いることもできる。例えば、ベルト機構によって媒体２を搬送することもできる。
【００２４】
搬送装置３０は、媒体２の搬送方向および搬送速度を切り換えることができる。例えば、モータ３３の回転方向および回転速度を制御することにより、媒体２の搬送方向および搬送速度を切り換えることができる。本形態では、搬送装置３０は、媒体挿入口１１から搬送路２２へ向かう挿入方向Ｄ１、および搬送路２２から媒体挿入口１１の外側へ向かう排出方向Ｄ２へ媒体２を搬送する。挿入方向Ｄ１は後方Ｙ２へ向かう方向であり、排出方向Ｄ２は前方Ｙ１へ向かう方向である。
【００２５】
搬送路２２には、搬送ローラ３１Ａの近傍に第２検知部２３が配置される。また、磁気ヘッド２１の前方Ｙ１に位置する搬送ローラ３１Ｂの近傍に第３検知部２４が配置され、搬送路２２の後端に位置する搬送ローラ３１Ｃの近傍に第４検知部２５が配置される。第２検知部２３、第３検知部２４および第４検知部２５は、媒体２の有無を検知する媒体検知機構であり、第１検知部１３と同様に接触式のセンサ、あるいは、光学式のセンサなどを用いることができる。なお、第３検知部２４および第４検知部２５を省略することもできる。
【００２６】
（制御系）
磁気記録媒体処理装置１は、磁気ヘッド２１、搬送装置３０、および妨害磁界発生装置４０を制御する制御部５０を備える。制御部５０には、第１検知部１３およびプリヘッド１４の出力が入力されるとともに、第２検知部２３、第３検知部２４、および第４検知部
２５の出力が入力される。制御部５０は、これらのセンサの少なくとも一部の出力に基づく制御を行う。
【００２７】
制御部５０は、搬送装置３０および妨害磁界発生装置４０を制御して、搬送路２２への媒体２の取り込み動作および搬送路２２からの媒体２の排出動作を行う。媒体２の取り込み動作および媒体２の排出動作を行う際には、搬送装置３０は、予め定めた妨害用速度Ｆ１で媒体２を搬送するように制御される。妨害用速度Ｆ１は、磁気ヘッド２１によって媒体２に対して磁気情報の読取りおよび書込みなどの処理を行う際の搬送速度である通常速度Ｆ２よりも低速である。妨害磁界発生装置４０は、少なくとも妨害用速度Ｆ１で媒体２が搬送される間は、上述した強度Ｈで妨害磁界を発生させるように制御される。
【００２８】
また、制御部５０は、搬送路２２へ媒体２が取り込まれると、磁気ヘッド２１および搬送装置３０を制御して、媒体２を予め定めた通常速度Ｆ２で搬送しながら媒体２に記録される磁気情報の読取りや書込みなどの処理を行うが、この処理の間は、妨害磁界の発生を停止するように妨害磁界発生装置４０を制御する。
【００２９】
図２は媒体の取り込み動作の説明図であり、図３は媒体の排出動作の説明図である。図２、図３において、媒体２の挿入方向Ｄ１の先端（以下、前端という）を符号２Ａで示す。また、媒体２の排出方向Ｄ２の先端（以下、後端という）を符号２Ｂで示す。また、図４は媒体取り込み時および媒体排出時の妨害磁界とモータによる搬送速度の変化を示すタイミングチャートであり、図４（ａ）は妨害磁界の変化を示し、図４（ｂ）はモータによる搬送速度の変化を示す。図４（ａ）、（ｂ）の横軸は媒体の取り込み動作および排出動作における媒体２の位置を示す。
【００３０】
（媒体の取り込み動作）
図２、図４を参照して、媒体２の取り込み動作における搬送速度および妨害磁界の制御について説明する。媒体２がユーザによって媒体挿入口１１へ挿入されると、媒体２は、図２（ａ）に示す位置Ａを通過する。位置Ａは、第１検知部１３によって媒体２の前端２Ａが検知される位置である。制御部５０は、第１検知部１３の出力に基づいて搬送装置３０および妨害磁界発生装置４０の動作を開始する。具体的には、位置Ａで第１検知部１３の出力が媒体なしを示す信号から媒体ありを示す信号に切り換わると、図４（ｂ）に示すように、搬送装置３０のモータ３３を低速回転用の回転速度で駆動開始する。また、図４（ａ）に示すように、モータ３３の低速回転開始と同時に妨害磁界発生装置４０のコイル４１への通電を開始して、強度Ｈの妨害磁界を発生させる。
【００３１】
なお、位置Ａでは、プリヘッド１４によって媒体２に磁気情報が記録されていることが検知されるため、第１検知部１３およびプリヘッド１４の出力に基づいて、妨害用速度Ｆ１での搬送およびコイル４１への通電を開始することもできる。例えば、第１検知部１３によって媒体２の前端２Ａが検知され、且つ、プリヘッド１４によって媒体２に磁気情報が記録されていることが検知された場合に、モータ３３の低速回転、および、コイル４１への通電を開始してもよい。このようにすれば、挿入された媒体２が磁気カードである場合のみ妨害磁界を発生させることができる。
【００３２】
媒体２は、図２（ｂ）に示す位置Ｂまでは手動で挿入される。図２（ｂ）に示す位置Ｂを通過するとき、第２検知部２３によって媒体２の前端２Ａが検知される。制御部５０は、モータ３３の低速回転を維持するとともに、妨害磁界発生装置４０のコイル４１への通電を継続して、強度Ｈで妨害磁界を発生させ続ける。なお、第２検知部２３によって媒体２の前端２Ａが検知されたことに基づいてモータ３３の低速回転を開始してもよい。媒体２は、位置Ｂからはモータ３３の搬送力によって搬送される。図４（ｂ）に示すように、位置Ｂからのモータ３３による搬送速度は妨害用速度Ｆ１である。また、搬送方向は挿入
方向Ｄ１である。
【００３３】
続いて、媒体２は、図２（ｃ）に示す位置Ｃを通過する。位置Ｃは、媒体２の後端２Ｂが第１検知部１３によって検知される位置である。位置Ｃでは、媒体２が完全にゲート部１０の中に取り込まれる。制御部５０は、位置Ｃで第１検知部１３の出力が媒体ありを示す信号から媒体なしを示す信号に切り換わると、モータ３３の回転速度を高速回転に切り換えて、挿入方向Ｄ１への媒体２の搬送速度を通常速度Ｆ２に切り換える（図４（ｂ）参照）。また、図４（ａ）に示すように、妨害磁界発生装置４０のコイル４１への通電を停止して、妨害磁界の発生を停止する。
【００３４】
（磁気ヘッドによる処理動作）
媒体２が完全に装置本体２０に取り込まれると、続いて、制御部５０は、磁気ヘッド２１を起動し、媒体２を通常速度Ｆ２で挿入方向Ｄ１に搬送して磁気ヘッド２１に接触させ、媒体２に対する磁気情報の読取りまたは書込み、あるいはその両方の処理を行う。磁気情報の読取りおよび書込みは、媒体２を挿入方向Ｄ１に搬送して行うほか、媒体２が磁気ヘッド２１を通過した後に媒体２の搬送方向を逆向きにして、媒体２を排出方向Ｄ２に搬送するときに行うこともできる。本形態では、磁気ヘッド２１による媒体２の処理を行っている間、妨害磁界の発生は停止されている。
【００３５】
（媒体の排出動作）
制御部５０は、装置本体２０に取り込まれた媒体２の排出動作を行う。制御部５０は、磁気ヘッド２１による処理動作に続き、妨害磁界の発生を停止した状態で、媒体２を排出方向Ｄ２に通常速度Ｆ２で搬送する。排出方向Ｄ２へ搬送される媒体２は、図３（ａ）に示す位置Ｄを通過する。位置Ｄは、第１検知部２３に媒体２の後端２Ｂが到達する位置である。すなわち、位置Ｄで、媒体２のゲート部１０からの排出が開始される。
【００３６】
制御部５０は、位置Ｄで第１検知部２３の出力が媒体なしを示す信号から媒体ありを示す信号に切り換わると、搬送装置３０のモータ３３の回転速度を高速から低速に切り換えて、搬送速度を通常速度Ｆ２から妨害用速度Ｆ１に切り換える（図４（ｂ）参照）。また、搬送速度を妨害用速度Ｆ１に切り換えるのと同時に、妨害磁界発生装置４０のコイル４１への通電を開始して、強度Ｈで妨害磁界を発生させる（図４（ａ）参照）。
【００３７】
制御部５０は、位置Ｄで搬送速度を妨害用速度Ｆ１に切り換えて妨害磁界の発生を開始した後、媒体２の前端２Ａが第１検知部１３で検知されるまでは、モータ３の低速回転、および妨害磁界の発生を継続する。すなわち、第１検知部１３が媒体ありを示す信号を出力し続ける限り、妨害磁界を発生させ続ける。排出方向Ｄ２へ妨害用速度Ｆ１で搬送される媒体２は、図３（ｂ）に示す位置Ｅを通過する。位置Ｅは、媒体２の前端２Ａが第２検知部２３を通過する位置である。媒体２は、位置Ｅまではモータ３３の搬送力によって妨害用速度Ｆ１で搬送されるが、位置Ｅを通過した後は、ユーザによって手動で引き抜かれる。媒体２がユーザによって媒体挿入口１１から引き抜かれるとき、媒体２は、図３（ｃ）に示す位置Ｆを通過する。位置Ｆでは、媒体２の前端２Ａが第１検知部１３によって検知される。制御部５０は、位置Ｆで、第１検知部１３の出力が媒体ありを示す信号から媒体なしを示す信号に切り換わると、モータ３３の低速回転を停止させる（図４（ｂ）参照）。また、妨害磁界発生装置４０のコイル４１への通電を停止させて、妨害磁界の発生を停止する（図４（ａ）参照）。これにより、媒体２の排出動作が完了する。
【００３８】
（本形態の主な効果）
以上説明したように、本形態の磁気記録媒体処理装置１は、媒体挿入口１１に媒体２が挿入される時、および媒体挿入口１１から媒体２が排出される時に、磁気ヘッド２１による磁気情報の読取り時よりも低速な妨害用速度Ｆ１で媒体２を搬送し、媒体挿入口１１の
前方Ｙ１に向かう妨害磁界を発生する。これにより、媒体挿入口１１の外側に不正に磁気情報を取得するための磁気ヘッド（スキミングヘッド）が取り付けられたとしても、スキミングヘッドから出力される波形を通常速度Ｆ２（磁気ヘッド２１による読み取り時の搬送速度）で得られる波形よりも小さくすることができる。従って、妨害磁界の強度を上げることなく、磁気情報の不正な読み取りを効果的に妨害することができる。よって、妨害磁界発生装置４０の負荷を減らすことができる。例えば、妨害磁界発生装置４０のコイル４１が電流増大に起因する過熱によって断線するおそれを少なくすることができる。また、コイル４１を大型にする必要がないので、小型化および低コスト化に有利である。さらに、人が触れやすいゲート部１０の過熱による温度上昇が抑えられるとともに、強い妨害磁界によって媒体２が影響を受けることを回避できる。
【００３９】
本形態では、媒体挿入口１１に挿入検知機構である第１検知部１３が設けられているので、このセンサを利用して妨害磁界および搬送速度を制御する。具体的には、媒体２の前端２Ａが第１検知部１３によって検知されたことに基づき、妨害用速度Ｆ１での搬送、および、妨害磁界の発生を開始する。また、媒体２の後端２Ｂが第１検知部１３によって検知された場合、すなわち、媒体２が完全にゲート部１０内に取り込まれたことに基づき、媒体２の搬送速度を通常速度Ｆ２に切り換える。これにより、媒体２を妨害用速度Ｆ１で搬送して妨害磁界を発生させながら、媒体２の取り込み動作を行うことができる。従って、磁気情報の不正な読み取りを効果的に妨害できる。また、既存のセンサの出力を利用して妨害磁界および搬送速度を制御するので、妨害磁界および搬送速度の制御のために新たなセンサを設ける必要がない。よって、小型化および低コスト化に有利である。
【００４０】
ここで、媒体２の搬送速度を通常速度Ｆ２に切り換えるタイミングについては、エンコーダ等でモータ３３の回転数を監視して、モータ３３の回転数に基づいて媒体２の位置を判定して行ってもよい。例えば、予め、媒体２の前端２Ａが第１検知部１３、もしくは第２検知部２３で検知されてから媒体２の後端２Ｂが第１検知部１３を通過するまでのモータ３３の回転数を記憶しておき、記憶した回転数に基づいて搬送速度を通常速度Ｆ２に切り換えることもできる。
【００４１】
本形態では、媒体２の搬送速度を妨害用速度Ｆ１から通常速度Ｆ２に切り換えた後、媒体２が磁気ヘッド２１と接触する位置に到達する前に妨害磁界の発生を停止する。具体的には、媒体２の後端２Ｂが第１検知部１３に到達したタイミングでは、まだ媒体２の前端２Ａが磁気ヘッド２１に到達していないので、このタイミングで妨害磁界の発生を停止する。これにより、磁気ヘッド２１による磁気情報の処理精度を低下させることなく、磁気情報の不正な読み取りを効果的に妨害することができる。
【００４２】
本形態では、媒体挿入口１１から媒体２を排出する時には、媒体２の後端２Ｂが第１検知部１３によって検知されたタイミングで、媒体２の搬送速度を通常速度Ｆ２から妨害用速度Ｆ１に切り換えるとともに妨害磁界の発生を開始する。これにより、媒体２を妨害用速度Ｆ１で搬送して妨害磁界を発生させながら、媒体２の排出動作を行うことができる。従って、磁気情報の不正な読み取りを効果的に妨害できる。また、既存のセンサの出力を利用して妨害磁界および搬送速度を制御するので、新たなセンサを設ける必要がない。よって、小型化および低コスト化に有利である。
【００４３】
なお、媒体２の取り込み時と同様に、エンコーダ等でモータ３３の回転数を監視して、モータ３３の回転数に基づいて媒体２の後端２Ｂの位置を判定して、搬送速度を通常速度Ｆ２から妨害用速度Ｆ１に切り換えることもできる。
【００４４】
本形態では、媒体２を排出する時には、媒体２の前端２Ａが第１検知部１３で検知されるまでは、妨害磁界の発生を継続する。すなわち、第１検知部１３が媒体ありを示す信号
を出力し続ける限り、妨害磁界を発生させ続ける。これにより、媒体２が媒体挿入口１１から完全に排出されるまでは妨害磁界を発生させ続けることができる。従って、磁気情報の不正な読み取りを効果的に妨害することができる。
【００４５】
（変形例）
上記形態は、本発明の好適な形態の一例ではあるが、これに限定されるものではなく、本発明の要旨を変更しない範囲において変形が可能である。
【００４６】
（１）上記形態は、ゲート部１０に第１検知部１３およびプリヘッド１４が設けられているが、第１検知部１３が設けられていない場合には、媒体２の取り込み時に、プリヘッド１４で媒体２の前端２Ａが検知されたことに基づいて妨害用速度Ｆ１での搬送および妨害磁界の発生を開始することもできる。また、媒体２の後端２Ｂがプリヘッド１４によって検知されたことに基づいて媒体２の搬送速度を妨害用速度Ｆ１から通常速度Ｆ２に切り換えることもできる。あるいは、ゲート部１０に第１検知部１３がなく、プリヘッド１４も設けられていない場合には、媒体２の取り込み時に、第２検知部２３で媒体２の前端２Ａが検知されたことに基づいて妨害用速度Ｆ１での搬送および妨害磁界の発生を開始することができる。この場合には、媒体２の後端２Ｂが第２検知部２３によって検知されたことに基づいて媒体２の搬送速度を妨害用速度Ｆ１から通常速度Ｆ２に切り換えることができる。また、媒体２の後端２Ｂが第２検知部２３によって検知されたことに基づいて妨害用磁界の発生を停止することができる。
【００４７】
同様に、第１検知部１３が設けられていない場合には、媒体２の排出時には、プリヘッド１４、あるいは第２検知部２３で媒体の後端２Ｂが検知されたことに基づいて媒体２の搬送速度を通常速度Ｆ２から妨害用速度Ｆ１に減速するとともに妨害磁界の発生を開始し、プリヘッド１４、あるいは第２検知部２３で媒体の前端２Ａが検知されたことに基づいて媒体２の搬送を停止するとともに妨害磁界の発生を停止することができる。
【００４８】
（２）上記形態では、媒体挿入口１１から媒体２が取り込まれる時、および媒体挿入口１１から媒体２が排出される時のどちらの場合も、磁気ヘッド２１による磁気情報の読取り時よりも低速な妨害用速度Ｆ１で媒体２を搬送しながら、妨害磁界発生装置４０で妨害磁界を発生させているが、媒体２が取り込まれる時、および媒体２が排出される時のいずれかの場合に、妨害用速度Ｆ１で媒体２を搬送しながら、妨害磁界発生装置４０で妨害磁界を発生させることもできる。
【００４９】
（３）上記形態では、妨害磁界の強度を切り換える制御を行っていないが、妨害磁界の強度を切り換える制御を行うこともできる。例えば、妨害磁界発生装置４０は、コイル４１に印加する電圧の切り換えによって妨害磁界の強弱を切り換えることができる。そこで、強度Ｈの妨害磁界を発生させる第１妨害モードと、強度Ｈより強い妨害磁界を発生する第２妨害モードの２種類のモードで妨害磁界発生装置４０を駆動することができる。この場合には、磁気記録媒体処理装置１が待機中である間（すなわち媒体挿入口１１および搬送路２２に媒体２が挿入されていない間）に、妨害磁界発生装置４０によって予め定められたタイミングで第２妨害モードの磁界を発生させることにより、スキミングヘッドの記憶容量を使い切らせることができる。これにより、スキミングヘッドによる磁気情報の不正な読み取りを効果的に妨害することができる。
【００５０】
（４）上記形態では、妨害用速度Ｆ１として毎回同じ速度が用いられるが、複数の妨害用速度を記憶しておき、媒体２の取り込み動作および排出動作毎に、記憶した妨害用速度の中からいずれかを選択して、妨害用速度Ｆ１に設定することもできる。このようにすれば、媒体２の取り込み動作および排出動作毎に、毎回異なる妨害用速度が用いられるので、スキミングヘッドによる磁気情報の不正な読み取りをより効果的に妨害することができる
。また、媒体２の取り込み動作および排出動作の前に、毎回異なる待機時間を設定すれば、さらに効果的な妨害を行うことができる。
【符号の説明】
【００５１】
１…磁気記録媒体処理装置、２…媒体、２Ｂ…後端、２Ａ…後端、１０…ゲート部、１１…媒体挿入口、１２…媒体挿入路、１３…第２検知部、１４…プリヘッド、２０…装置本体、２１…磁気ヘッド、２２…搬送路、２３…第２検知部、２４…第３検知部、２５…第４検知部、３０…搬送装置、３１、３１Ａ、３１Ｂ、３１Ｃ…搬送ローラ、３２…押圧ローラ、３３…モータ、３４…駆動力伝達機構、３５…第１ベルト機構、３６…第２ベルト機構、４０…妨害磁界発生装置、４１…コイル、５０…制御部、Ａ、Ｂ、Ｃ、Ｄ、Ｅ、Ｆ…位置、Ｄ１…挿入方向、Ｄ２…排出方向、Ｆ１…妨害用速度、Ｆ２…通常速度、Ｘ…幅方向、Ｙ…前後方向、Ｙ１…前方、Ｙ２…後方
【図１】
2018055627.tif 000003
【図２】
2018055627.tif 000004
【図３】
2018055627.tif 000005
【図４】
2018055627.tif 000006